(57)【要約】【課題】システムの運転を長時間停止させることなく、制御盤の更新を行なう。【解決手段】既設の外線ケーブル７ｂのコネクタ部３ｂと盤内配線４を分離する分離工程と、分離工程の後に盤内配線４および制御装置２を撤去する撤去工程と、制御装置収納枠５に新設の制御装置２２および新設の盤内配線２４を組み込む組込み工程と、撤去工程および組込み工程の後に既設の筐体１１内に制御装置収納枠５を設置する設置工程と、設置工程の後に、新設の盤内配線２４を既設の外線ケーブルのコネクタ部３ｂに接続する接続工程と、を有する。【選択図】　図１
2004023815.tif 000002
【特許請求の範囲】
【請求項１】
制御装置およびこの制御装置に接続された盤内配線を筐体内に備え、前記盤内配線が外線ケーブルのコネクタ部を介して該外線ケーブルに接続されている既設の制御盤のうちの前記制御装置および盤内配線の少なくとも一部を新設のものに更新する制御盤更新方法において、
既設の外線ケーブルのコネクタ部と前記盤内配線の少なくとも一部を分離する分離工程と、
前記分離工程の後に前記盤内配線および前記制御装置の少なくとも一部を撤去する撤去工程と、
制御装置収納枠に新設の制御装置およびこの新設の制御装置に接続された新設の盤内配線を組み込む組込み工程と、
前記撤去工程および前記組込み工程の後に既設の前記筐体内に前記制御装置収納枠を設置する設置工程と、
前記設置工程の後に、前記新設の盤内配線を既設の前記外線ケーブルのコネクタ部に接続する接続工程と、
を有することを特徴とする制御盤更新方法。
【請求項２】
制御装置およびこの制御装置に接続された盤内配線を筐体内に備え、前記盤内配線および外線ケーブルが接続された端子台を有する既設の制御盤のうちの前記制御装置および盤内配線の少なくとも一部を新設のものに更新する制御盤更新方法において、
前記端子台と既設の前記盤内配線の少なくとも一部とを分離する分離工程と、
前記分離工程の後に前記盤内配線および前記制御装置の少なくとも一部を撤去する撤去工程と、
制御装置収納枠に新設の制御装置およびこの新設の制御装置に接続された新設の盤内配線を組み込む組込み工程と、
前記撤去工程および前記組込み工程の後に前記制御装置収納枠を既設の前記筐体内に設置する設置工程と、
前記設置工程の後に、前記新設の盤内配線を既設の前記端子台に接続する接続工程と、
を有することを特徴とする制御盤更新方法。
【請求項３】
請求項２に記載の制御盤更新方法において、
前記組込み工程は、前記制御装置収納枠に仮端子台を取り付ける仮端子台取付け工程と、前記新設の盤内配線を前記仮端子台に仮接続する仮接続工程とを含み、
前記設置工程の後で前記接続工程の前に、前記盤内配線を前記仮端子台からはずす工程を有すること、
を特徴とする制御盤更新方法。
【請求項４】
請求項１ないし３のいずれかに記載の制御盤更新方法において、一つの既設の前記制御盤が複数個の前記制御装置収納枠に対応していること特徴とする制御盤更新方法。
【請求項５】
請求項１ないし４のいずれかに記載の制御盤更新方法において、前記設置工程は、前記制御盤の上方に設置された吊り込み手段を用いて前記制御装置収納枠を前記筐体内に吊り込む工程を含むこと、を特徴とする制御盤更新方法。
【請求項６】
請求項１ないし４のいずれかに記載の制御盤更新方法において、前記設置工程は、上下および水平方向への移動が可能な昇降装置を用いること、を特徴とする制御盤更新方法。
【請求項７】
請求項１ないし６のいずれかに記載の制御盤更新方法において、前記設置工程は、既設の前記筐体に固定された固定フレームと前記制御装置収納枠に設けた位置決め機構を用いて位置合わせを行なう工程を含むこと、を特徴とする制御盤更新方法。
【発明の詳細な説明】
【０００１】
【発明の属する技術分野】
本発明は、種々のプラントやシステム等を制御するための制御盤に関し、既設の制御盤の一部を流用して制御盤内の制御装置等を更新する方法に関する。
【０００２】
【従来の技術】
一般に、制御盤更新においては以下の２通りの方法で実施される。
一つの方法は、制御盤本体ごと更新する方法であり、予め既設と同一サイズの新設制御盤を新規に製作し、既設制御盤を撤去した跡地に新設制御盤を据え付ける方法である。
【０００３】
もう一つの方法は、制御回路、盤内配線を現場にて更新する方法であって、既設制御盤のフレーム（筐体）を流用し、既設制御回路、盤内配線を全て撤去した後に、新設制御回路、盤内配線への更新を現場作業にて行なう方法である（例えば、特開２０００−１３９３７号、２０００−１３９３６号、特開平１１−２９２４１３号等の各公報参照）。
【０００４】
【発明が解決しようとする課題】
上述の従来の制御盤更新方法においては、制御盤更新開始から完了までに多大な時間を要し、更新期間中に、長時間連続的なシステムの運転停止が発生する。
本発明は上記従来技術の課題を解決するためになされたものであり、システムの運転を長時間停止させることなく、制御盤の更新ができる更新方法を得ることを目的とする。
【０００５】
【課題を解決するための手段】
本発明は上記目的を達成するものであって、請求項１の発明は、制御装置およびこの制御装置に接続された盤内配線を筐体内に備え、前記盤内配線が外線ケーブルのコネクタ部を介して該外線ケーブルに接続されている既設の制御盤のうちの前記制御装置および盤内配線の少なくとも一部を新設のものに更新する制御盤更新方法において、既設の外線ケーブルのコネクタ部と前記盤内配線の少なくとも一部を分離する分離工程と、前記分離工程の後に前記盤内配線および前記制御装置の少なくとも一部を撤去する撤去工程と、制御装置収納枠に新設の制御装置およびこの新設の制御装置に接続された新設の盤内配線を組み込む組込み工程と、前記撤去工程および前記組込み工程の後に既設の前記筐体内に前記制御装置収納枠を設置する設置工程と、前記設置工程の後に、前記新設の盤内配線を既設の前記外線ケーブルのコネクタ部に接続する接続工程と、を有することを特徴とする。
請求項１に記載の発明によれば、システムの運転を長時間停止させることなく、制御盤を更新することができる。
【０００６】
また、請求項２に記載の発明は、制御装置およびこの制御装置に接続された盤内配線を筐体内に備え、前記盤内配線および外線ケーブルが接続された端子台を有する既設の制御盤のうちの前記制御装置および盤内配線の少なくとも一部を新設のものに更新する制御盤更新方法において、前記端子台と既設の前記盤内配線の少なくとも一部とを分離する分離工程と、前記分離工程の後に前記盤内配線および前記制御装置の少なくとも一部を撤去する撤去工程と、制御装置収納枠に新設の制御装置およびこの新設の制御装置に接続された新設の盤内配線を組み込む組込み工程と、前記撤去工程および前記組込み工程の後に前記制御装置収納枠を既設の前記筐体内に設置する設置工程と、前記設置工程の後に、前記新設の盤内配線を既設の前記端子台に接続する接続工程と、を有することを特徴とする。
請求項２に記載の発明によれば、システムの運転を長時間停止させることなく、制御盤を更新することができる。
【０００７】
また、請求項３に記載の発明は、請求項２に記載の制御盤更新方法において、前記組込み工程は、前記制御装置収納枠に仮端子台を取り付ける仮端子台取付け工程と、前記新設の盤内配線を前記仮端子台に仮接続する仮接続工程とを含み、前記設置工程の後で前記接続工程の前に、前記盤内配線を前記仮端子台からはずす工程を有すること、を特徴とする。
【０００８】
請求項３に記載の発明によれば、請求項２に記載の発明による作用・効果を得られるほか、制御装置収納枠に新設の制御装置等を組み込んだときに新設の盤内配線が仮端子台に仮接続されるので、盤内配線が乱れるのが抑制され、制御装置収納枠を制御盤筐体内に設置する作業の際に盤内配線が邪魔になりにくい。
【０００９】
また、請求項４に記載の発明は、請求項１ないし３のいずれかに記載の制御盤更新方法において、一つの既設の前記制御盤が複数個の前記制御装置収納枠に対応していること特徴とする。
【００１０】
請求項４に記載の発明によれば、請求項１ないし３のいずれかに記載の発明による作用・効果を得られるほか、各制御装置収納枠を比較的小さくできるので、制御装置収納枠を制御盤筐体内に設置する作業がやりやすくなる。
【００１１】
また、請求項５に記載の発明は、請求項１ないし４のいずれかに記載の制御盤更新方法において、前記設置工程は、前記制御盤の上方に設置された吊り込み手段を用いて前記制御装置収納枠を前記筐体内に吊り込む工程を含むこと、を特徴とする。
【００１２】
請求項５に記載の発明によれば、請求項１ないし４のいずれかに記載の発明による作用・効果を得られるほか、特に、制御盤の上方にスペースの余裕がある場合等に制御装置収納枠を制御盤筐体内に設置する作業がやりやすい。
【００１３】
また、請求項６に記載の発明は、請求項１ないし４のいずれかに記載の制御盤更新方法において、前記設置工程は、上下および水平方向への移動が可能な昇降装置を用いること、を特徴とする。
【００１４】
請求項６に記載の発明によれば、請求項１ないし４のいずれかに記載の発明による作用・効果を得られるほか、昇降装置に制御装置収納枠を載置して、例えば床面上を水平に移動して、その後昇降させて制御盤筐体内に設置する作業を、一連の作業として行なえるので、作業能率を向上させることができる。
【００１５】
また、請求項７に記載の発明は、請求項１ないし６のいずれかに記載の制御盤更新方法において、前記設置工程は、既設の前記筐体に固定された固定フレームと前記制御装置収納枠に設けた位置決め機構を用いて位置合わせを行なう工程を含むこと、を特徴とする。
【００１６】
請求項７に記載の発明によれば、請求項１ないし６のいずれかに記載の発明による作用・効果を得られるほか、制御装置収納枠を制御盤筐体内に設置する作業の能率を向上させることができる。
【００１７】
【発明の実施の形態】
以下、本発明に係る制御盤更新方法の実施の形態について、図面を参照して説明する。なお、各図で共通または類似の部分には共通の符号を付して重複説明は省略する。
【００１８】
まず、図１を参照して、本発明に係る制御盤更新方法の第１の実施の形態を説明する。
図１（ａ）は、更新前の制御盤の構成を示す。制御盤１は、制御装置・制御回路２を有し、これは制御盤筐体１１内に設置されている。制御装置・制御回路２には制御盤内配線４が接続され、制御盤内配線４の一端にはレセプタクル３ａが接続されている。レセプタクル３ａは、制御盤１の外と連絡するケーブル７ｂに接続されたケーブル用コネクタ３ｂと着脱可能に接続されている。
【００１９】
次に、レセプタクル３ａとケーブル用コネクタ３ｂとを切り離し、次いで、図１（ｂ）に示すように、制御装置・制御回路２、制御盤内配線４およびレセプタクル３ａを撤去する。このとき、制御盤筐体１１、ケーブル７ｂ、ケーブル用コネクタ３ｂは撤去されずに残っている。
【００２０】
次に、新設の制御装置・制御回路２２、制御盤内配線２４、レセプタクル２３ａが、予め制御装置収納枠５に組み込まれた状態で、既設の制御盤筐体１１内に搬入され、設置される。制御装置収納枠５が制御盤筐体１１内に設置された後に、図１（ｃ）に示すように、レセプタクル２３ａと既設のケーブル用コネクタ３ｂを接続する。
【００２１】
ところで、上述のように、制御装置収納枠５を制御盤筐体１１内に設置する前に、制御装置収納枠５には、新設の制御装置・制御回路２２等を組み込んでおく。この新設の制御装置・制御回路２２等は一般に、既設の制御装置・制御回路２等に比べて最新の技術を採用して製造されたものであって、集積度が高く、高性能である。通常の制御盤更新工事の目的は、古い制御装置・制御回路２等を新しい技術を取り込んだ制御装置・制御回路２２等で交換するところにある。
【００２２】
次に、図２を参照して、本発明に係る制御盤更新方法の第２の実施の形態を説明する。
図２（ａ）は、更新前の制御盤の構成を示す。制御盤１は、制御装置・制御回路２を有し、これは制御盤筐体１１内に設置されている。制御装置・制御回路２には制御盤内配線４が接続され、制御盤内配線４の一端は、制御盤筐体１１に固定された端子台７ａに着脱可能に接続されている。またこの端子台７ａには、制御盤１の外と連絡するケーブル７ｂが接続されている。
【００２３】
次に、制御盤内配線４を端子台７ａから切り離し、次いで、図２（ｂ）に示すように、制御装置・制御回路２および制御盤内配線４を撤去する。このとき、制御盤筐体１１、ケーブル７ｂ、端子台７ａは撤去されずに残っている。
【００２４】
次に、新設の制御装置・制御回路２２、制御盤内配線２４、仮端子台６が、予め制御装置収納枠５に組み込まれた状態で、既設の制御盤筐体１１内に搬入され、設置される。次に、図２（ｃ）に示すように、制御盤内配線２４を仮端子台６から取り外して端子台７ａに接続する。
【００２５】
上記第１および第２の実施の形態の制御盤更新方法において、新たに設置する制御装置・制御回路２４は、好ましくは既設の制御装置・制御回路４に比べ集積度の高い部品を用いたものとし、予め製作して、制御装置収納枠５に収めて配線を施し準備しておくものとする。
【００２６】
図３は、第１または第２の実施の形態の制御盤更新方法において、制御盤１に据え付ける制御装置収納枠５の分割構成を示す図である。制御盤１内部の構成要素は制御回路と電源回路に大別されることから、更新設置する制御装置収納枠５をそれに合わせて２分割し、各々の制御装置収納枠５に制御回路と電源回路を分割して構成して製作するのが好ましい。これにより１台の制御装置収納枠５を軽量・小型にできるので、制御盤１１内への搬入・据え付け作業が楽になる。なお、図３の例では制御装置収納枠５の分割を２台としたが、台数はこれに限定されない。
【００２７】
図４は、第１または第２の実施の形態の制御盤更新方法において、制御装置収納枠５を制御盤筐体１１内に設置する工程の一例を示すもので、制御盤筐体１１の上方に設置されたチェーンブロック４３を用いて制御装置収納枠５を吊り込む方法を示す。図４において、制御盤１と制御盤室天井４１との間に吊り込みヤード４２を設置する。吊り込みヤード４２は、制御盤１の天井部にある吊り金具取り付け用の穴を使い固定する。
【００２８】
吊り込みヤード４２にチェーンブロック４３を取り付け、制御装置収納枠５の上部とをロープ４４で繋ぐ。チェーンブロック４３でロープ４４を少しずつ巻き取って行くと、制御装置収納枠５は、上方に上がって行きながら制御盤１の内に引き込まれて行く。制御装置収納枠５が据付け位置に達した時、チェーンブロック４３の巻き取りをやめ、制御盤１の内の固定フレーム６１に制御装置収納枠５を固定し据付けを完了する。
【００２９】
図５は、第１または第２の実施の形態の制御盤更新方法において、制御装置収納枠を制御盤筐体内に設置する工程の他の一例を示すもので、昇降装置５１に制御装置収納枠５を載せ、制御盤筐体１１に入れ込む方法を示す。
【００３０】
昇降装置５１には車輪５４が取り付いており、制御装置収納枠５を載せた状態で水平移動が可能である。この状態で制御盤筐体１１の前面まで水平に移動し、制御装置収納枠５を昇降装置５１の上下方向移動機構５２を上昇させて制御盤筐体１１の内の固定フレーム６１の据付け位置に位置合わせする。その後、昇降装置５１の前後方向移動機構５３を前進し、制御装置収納枠５を固定フレーム６１に密着させ固定し据付けを完了する。
【００３１】
図４に示す吊り込みによる設置方法と、図５に示す昇降装置による設置方法は、制御装置２２等を組み込んだ制御装置収納枠５の重量や大きさ、並びに現場環境等によって使い分けする。図４の方法は制御室の天井４１と制御盤１上部との間の空間が確保されている場合に適している。また、図５の方法は、昇降装置５１に車輪５４が付いているため、制御装置収納枠５の搬入から据え付け、固定まで、一貫して作業ができる利点がある。
【００３２】
図６は、第１または第２の実施の形態の制御盤更新方法に採用可能な、制御盤筐体１１内の固定フレーム６１上の位置決め機構および固定穴と制御装置収納枠５の固定との関係を示す図である。
【００３３】
制御盤筐体１１内の固定フレーム６１には固定穴６２および位置決め機構（固定側）６３ａが、制御装置収納枠５には固定穴６２および位置決め機構（可動側）６３ｂが対応する位置に設けられている。固定フレーム６１の表面より突き出た位置決め機構（固定側）６３ａは円錐台形で先の方が細くなっていて制御装置収納枠５の位置決め機構（可動側）６３ｂの穴に容易に通ることができる。制御装置収納枠５を位置決め機構（固定側）６３ａの円錐に沿って固定フレーム６１に押し込んで行き、位置決め機構（固定側）６３ａと位置決め機構（可動側）６３ｂが密着すると固定フレーム６１の固定穴６５と制御装置収納枠５の固定穴６２の位置合わせが完了する。
本実施の形態では、位置決め機構の形状を円錐台形のものを例にしたが、これに限定されない。
【００３４】
制御盤筐体１１内の固定フレーム６１上の固定穴６５と制御装置収納枠５の固定穴６２の位置合わせは、固定側の穴６５に対し可動側の穴６２を合わせる形となり、従来は非常に作業性が悪く作業に時間がかかったが、この実施の形態では、位置決め機構を採用した作業とすることでこれを解決している。
【００３５】
制御盤筐体１１内の固定フレーム６１に制御装置収納枠５を位置決めして固定した後に、図１（ｃ）および図２（ｃ）を参照して説明したように、新設の制御盤内配線２４と既設のケーブル７ｂとを接続する。
【００３６】
制御盤内配線２４とケーブル７ｂとを接続した後に、これらの電気的な繋がりおよび信号の授受確認試験を行ない、その後、最終的な運転試験を行なって制御盤更新作業を完了する。
【００３７】
本実施の形態によれば、既存のケーブル７ｂを流用し、且つコネクタ３ｂや端子台７ａへの接続自体をはずしていないことや、制御装置収納枠５側は組み立て配線作業後に配線の確認を実施していることから、現場の試験の簡素化ができる。
【００３８】
以上述べたように、本発明の実施の形態によれば、更新対象部分の製作工程、既存品の撤去工程、更新対象部分の搬入・据付け工程、外部ケーブルとの接続工程、現場試験工程と各工程で作業時間の短縮が図られており、全体として更新工事の時間短縮が可能となる。その結果、システムの運転停止時間を短くすることができる。
【００３９】
【発明の効果】
以上説明したように、本発明によれば、システムの運転を長時間連続的に停止させることなく、制御盤を更新することができる。
【図面の簡単な説明】
【図１】本発明に係る制御盤更新方法の第１の実施の形態の手順を示す制御盤の模式図であって、（ａ）は制御盤更新工事を行なう前の状態、（ｂ）はケーブル用コネクタからレセプタクルをはずして、制御装置・制御回路および盤内配線を撤去した後の状態、（ｃ）は制御盤更新工事完了後の状態をそれぞれ示す。
【図２】本発明に係る制御盤更新方法の第２の実施の形態の手順を示す制御盤の模式図であって、（ａ）は制御盤更新工事を行なう前の状態、（ｂ）は端子台から盤内配線をはずして、制御装置・制御回路および盤内配線を撤去した後の状態、（ｃ）は制御盤更新工事完了後の状態をそれぞれ示す。
【図３】図１または２の制御盤更新工事完了後の状態で、制御装置収納枠を２個に分割した場合を模式的に示す斜視図。
【図４】図１または２の制御盤更新方法における制御装置収納枠の設置工程の一実施の形態を模式的に示す立面図。
【図５】図１または２の制御盤更新方法における制御装置収納枠の設置工程の他の実施の形態を模式的に示す立面図。
【図６】本発明の制御盤更新方法の制御装置収納枠の設置工程で用いられる制御装置収納枠位置決め機構を示す斜視図であって、（ａ）は制御装置収納枠、（ｂ）は制御盤筐体側をそれぞれ示す。
【符号の説明】
１…制御盤、２…制御装置・制御回路、３ａ…レセプタクル、３ｂ…ケーブル用コネクタ、４…制御盤内配線、５…制御装置収納枠、６…仮端子台、７ａ…端子台、７ｂ…ケーブル、２２…制御装置・制御回路、２３ａ…レセプタクル、２４…制御盤内配線、４１…制御盤室天井、４２…吊り込みヤード、４３…チェーンブロック、４４…ロープ、５１…昇降装置、５２…上下方向移動機構、５３…前後方向移動機構、５４…車輪、６１…固定フレーム、６２…固定穴、６３ａ…位置決め機構（固定側）、６３ｂ…位置決め機構（可動側）、６５…固定穴。
【図１】
2004023815.tif 000003
【図２】
2004023815.tif 000004
【図３】
2004023815.tif 000005
【図４】
2004023815.tif 000006
【図５】
2004023815.tif 000007
【図６】
2004023815.tif 000008